(57)【要約】【課題】投影装置における画像調整を行いやすくする。【解決手段】投影装置１００は、画像を投影するパネル１０９と、操作を受け付ける操作受付部１０２と、パネル１０９を制御する制御部１０１と、を有し、制御部１０１は、パネル１０９が投影する画像の調整対象位置を選択するための第１調整用画像をパネル１０９に投影させ、パネル１０９が第１調整用画像を投影している間に操作受付部１０２が調整対象位置を決定するための決定操作を受け付けた場合、第１調整用画像と異なる第２調整用画像を投影する。【選択図】図１
2018113519.tif 000002
【特許請求の範囲】
【請求項１】
画像を投影する投影手段と、
操作を受け付ける操作受付手段と、
前記投影手段を制御する制御手段と、
を有し、
前記制御手段は、前記投影手段が投影する画像の調整対象位置を選択するための第１調整用画像を前記投影手段に投影させ、前記投影手段が前記第１調整用画像を投影している間に前記操作受付手段が前記調整対象位置を決定するための決定操作を受け付けた場合、前記第１調整用画像と異なる第２調整用画像を投影することを特徴とする投影装置。
【請求項２】
前記制御手段は、前記操作受付手段が前記決定操作を受け付けた場合、前記調整対象位置に対応する画素の画像を投影する位置を調整するための前記第２調整用画像を前記投影手段に投影させることを特徴とする、
請求項１に記載の投影装置。
【請求項３】
前記制御手段は、前記操作受付手段が受け付けた前記決定操作により特定される前記調整対象位置に対応する領域に、前記第２調整用画像を前記投影手段に投影させることを特徴とする、
請求項１又は２に記載の投影装置。
【請求項４】
前記制御手段は、前記第１調整用画像よりも狭い範囲に投影される前記第２調整用画像を前記投影手段に投影させることを特徴とする、
請求項１から３のいずれか一項に記載の投影装置。
【請求項５】
前記制御手段は、前記操作受付手段が受け付けた前記決定操作により特定される前記調整対象位置の画素の投影位置を移動できる範囲に、前記第２調整用画像を前記投影手段に投影させることを特徴とする、
請求項１から４のいずれか一項に記載の投影装置。
【請求項６】
前記制御手段は、前記投影手段が投影する投影領域の全体に、複数の前記調整対象位置の候補を示す前記第１調整用画像を前記投影手段に投影させ、前記操作受付手段が受け付けた前記決定操作に対応する前記調整対象位置に接する複数の四辺形領域の範囲における画像投影位置を調整するための前記第２調整用画像を前記投影手段に投影させることを特徴とする、
請求項５に記載の投影装置。
【請求項７】
前記制御手段は、複数の色成分に対応する複数の前記第２調整用画像を前記投影手段に投影させることを特徴とする、
請求項１から６のいずれか一項に記載の投影装置。
【請求項８】
前記制御手段は、前記第２調整用画像と重ならない位置に、前記複数の色成分から１つの色成分を選択するための選択用画像を前記投影手段に投影させることを特徴とする、
請求項７に記載の投影装置。
【請求項９】
前記操作受付手段は、前記選択用画像が投影されている間に前記１つの色成分を選択するための操作を受け付け、
前記制御手段は、前記操作受付手段が受け付けた前記１つの色成分に対応する前記第２調整用画像を前記投影手段に投影させることを特徴とする、
請求項８に記載の投影装置。
【請求項１０】
前記操作受付手段は、前記１つの色成分を選択するための操作を受け付けた場合、前記調整対象位置の画素における前記１つの色成分の投影位置の調整量を入力する操作を受け付け、
前記制御手段は、前記操作受付手段が前記調整量を入力する操作を受け付けることができる間、選択されなかった色成分の投影位置の調整量を入力できないことを示す前記選択用画像を前記投影手段に投影させることを特徴とする、
請求項９に記載の投影装置。
【請求項１１】
前記制御手段は、前記第２調整用画像を投影している間に、調整する対象として選択された色成分を示す情報を前記投影手段に投影させることを特徴とする、
請求項７から１０のいずれか一項に記載の投影装置。
【請求項１２】
前記第１調整用画像を記憶する記憶手段をさらに有し、
前記操作受付手段は、前記調整対象位置を決定する操作を受け付けた場合に、前記記憶手段に記憶された前記第１調整用画像を投影するか、外部から入力された画像を投影するかを選択する操作を受け付けることを特徴とする、
請求項１から１１のいずれか一項に記載の投影装置。
【請求項１３】
コンピュータが実行する、
投影手段が投影する画像の調整対象位置を選択するための第１調整用画像を前記投影手段に投影させるステップと、
前記投影手段が前記第１調整用画像を投影している間に、前記調整対象位置を決定するための決定操作を受け付けるステップと、
前記決定操作を受け付けた場合、前記第１調整用画像と異なる第２調整用画像を前記投影手段に投影させるステップと、
を有することを特徴とする投影方法。
【発明の詳細な説明】
【技術分野】
【０００１】
本発明は、画像を投影する投影装置及び投影方法に関するものである。
【背景技術】
【０００２】
従来、複数の調整制御点を移動させ、移動後の調整制御点の位置に基づいて画像を幾何学補正する投影装置が知られている。特許文献１では、画像を複数の四辺形領域に分割し、分割された各四辺形領域の頂点の一つを移動させた後の四辺形領域に画像が収まるように画像の投影位置を補正する投影装置が開示されている。
【先行技術文献】
【特許文献】
【０００３】
【特許文献１】特許第５８８４３８０号公報
【発明の概要】
【発明が解決しようとする課題】
【０００４】
従来の投影装置は、調整制御点の位置を示すために、投影画面の前面に格子チャートを表示する。画像の投影位置を調整する対象となる位置をユーザが選択する際には格子チャートが有効な場合もある。しかしながら、例えば、調整制御点の位置を調整する操作をする際に格子チャートが表示されていると、格子チャート部分の発光により、ユーザが調整制御点を視認しづらくなってしまう。このように、投影装置が、画像を調整する対象となる位置を選択する際に用いられるチャートをそのまま調整時にも用いると、ユーザが画像を調整しづらい場合があるという問題が生じていた。
【０００５】
そこで、本発明は上述した点に鑑みてなされたものであり、投影装置における画像調整を行いやすくすることを目的とする。
【課題を解決するための手段】
【０００６】
上記の課題を解決するために、本発明の投影装置は、画像を投影する投影手段と、操作を受け付ける操作受付手段と、前記投影手段を制御する制御手段と、を有し、前記制御手段は、前記投影手段が投影する画像の調整対象位置を選択するための第１調整用画像を前記投影手段に投影させ、前記投影手段が前記第１調整用画像を投影している間に前記操作受付手段が前記調整対象位置を決定するための決定操作を受け付けた場合、前記第１調整用画像と異なる第２調整用画像を投影することを特徴とする。
【０００７】
本発明の投影方法は、コンピュータが実行する、投影手段が投影する画像の調整対象位置を選択するための第１調整用画像を前記投影手段に投影させるステップと、前記投影手段が前記第１調整用画像を投影している間に、前記調整対象位置を決定するための決定操作を受け付けるステップと、前記決定操作を受け付けた場合、前記第１調整用画像と異なる第２調整用画像を前記投影手段に投影させるステップと、を有することを特徴とする。
【発明の効果】
【０００８】
本発明によれば、投影装置における画像調整を行いやすくすることができるという効果を奏する。
【図面の簡単な説明】
【０００９】
【図１】第１の実施形態の投影装置の構成を示す図である。
【図２】投影装置の基本動作について説明するためのフローチャートである。
【図３】調整用画像の一例を示す図である。
【図４】ユーザが調整制御点を移動する操作をしたことにより第２調整用画像が変化する様子を示す図である。
【図５】色成分ごとに画素の投影位置を調整する設定をするための画面の一例を示す図である。
【図６】色成分ごとに画素の投影位置を調整する設定をするための画面の一例を示す図である。
【図７】ＣＰＵの動作フローチャートを示す図である。
【図８】第１調整用画像及び第２調整用画像の第１変形例を示す図である。
【図９】第１調整用画像及び第２調整用画像の第２変形例を示す図である。
【図１０】第１調整用画像及び第２調整用画像の第３変形例を示す図である。
【発明を実施するための形態】
【００１０】
［投影装置１００の概要］
図１は、第１の実施形態の投影装置１００の構成を示す図である。投影装置１００は、例えば、コンピュータ又は記憶媒体等から入力された画像をスクリーンに投影するプロジェクタである。
【００１１】
投影装置１００は、制御部１０１と、操作受付部１０２と、画像入力部１０３と、画像処理部１０４と、ＯＳＤ合成部１０５と、画像成分分解部１０６と、幾何学補正部１０７と、パネル駆動部１０８と、パネル１０９と、光源制御部１１０と、光源１１１と、投射レンズ１１２とを有する。投影装置１００は、複数の色（例えば赤、緑、青）に対応する複数の幾何学補正部１０７、複数のパネル駆動部１０８及び複数のパネル１０９を有する。パネル１０９は、制御手段である制御部１０１の制御に基づいて画像を投影する投影手段である。
【００１２】
投影装置１００が複数のパネル１０９を有する場合、複数のパネル１０９の物理的な取り付け位置のずれによって生ずる画素ずれ、又は複数のパネル１０９に対応する光学系の色収差に起因して、各色成分の画像が投影される位置にずれが発生する場合がある。投影装置１００は、ユーザが選択した画素の投影位置を微調整するための調整用画像を色成分ごとに投影する。投影装置１００は、投影位置の調整対象となる画素の選択操作に適した第１調整用画像と、選択された画素の投影位置の調整操作に適した第２調整用画像とを順次投影する。
【００１３】
ユーザは、第１調整用画像を用いて、投影位置を調整する対象となる画素の位置を選択することができる。そして、ユーザは、第２調整用画像を用いて、例えば０．１画素の単位で、選択した画素の投影位置を移動させることができる。第１調整用画像及び第２調整用画像の詳細については後述する。
【００１４】
図２は、投影装置１００の基本動作について説明するためのフローチャートである。投影装置１００は、ユーザの操作に応じて、各色成分の画像が投影される位置を調整するための位置調整モードを実行することができる。投影装置１００は、調整モードを起動すると、ステップＳ１の処理において第１調整用画像を表示して、調整する画素の位置を指定するための調整制御点の選択を受け付ける動作を実行し、ステップＳ２の処理に進む。
【００１５】
投影装置１００は、ステップＳ２において、第１調整用画像を表示した状態で、調整制御点の選択を完了する操作を受け付けると（Ｓ２においてＹＥＳ）、ステップＳ３の処理に進み、調整する対象となる色成分を選択するための色成分選択画面を表示する。投影装置１００は、色成分選択画面において、調整する対象となる色成分が選択されると、ステップＳ４の処理に進み、ステップＳ１において選択された調整制御点の画素における投影位置を調整するための第２調整用画像を表示する。ユーザは、表示された第２調整用画像を用いて、ステップＳ３において選択された色成分の画素の投影位置を移動させることで、色ずれを補正することができる。
【００１６】
なお、投影装置１００は、ステップＳ２において、調整制御点の選択を完了する操作の代わりに調整を終了する操作を受け付けた場合（Ｓ２においてＮＯ）、調整処理を終了する。また、投影装置１００は、ステップＳ４に示す投影位置を調整中の状態からステップＳ３に示す色成分選択画面に遷移し、色成分選択画面から、第１調整用画像が表示された画面に遷移することができる。
【００１７】
［投影装置１００の構成］
以下、投影装置１００の各部の構成の詳細について説明する。
制御部１０１は、投影装置１００の各部を制御する投影制御手段として機能する。制御部１０１は、ＣＰＵ（Central Processing Unit）１２１、ＲＯＭ（Read Only Memory）１２２及びＲＡＭ（Random Access Memory）１２３を有する。ＣＰＵ１２１は、ＲＯＭ１２２に記憶されたプログラムを実行することにより、各種の処理を行う。ＲＯＭ１２２は、ＣＰＵ１２１が実行するプログラムの他に、画像の投影位置を調整するモードにおいてパネル１０９が投影する第１調整用画像及び第２調整用画像を記憶している。
【００１８】
制御部１０１は、パネル１０９が投影する画像の調整対象位置を選択するための第１調整用画像をパネル１０９に投影させる。また、制御部１０１は、操作受付部１０２が、第１調整用画像が投影された状態で、調整対象位置を決定するための決定操作を受け付けた場合、第１調整用画像と異なる第２調整用画像をパネル１０９に投影させる。
【００１９】
操作受付部１０２は、ユーザによる操作を受け付ける機能を有する。操作受付部１０２は、例えば、リモコン又はキーパッド等のデバイスを介してユーザの操作を受け付ける。操作受付部１０２は、ＬＡＮ（Local Area Network）コントローラ等の通信インターフェースを有し、通信回線を介してユーザの操作を受け付けてもよい。
【００２０】
操作受付部１０２は、例えば、調整対象位置を選択する操作、及び選択された調整対象位置の画素の投影位置を移動する操作を受け付ける。また、操作受付部１０２は、調整対象位置を選択する操作を受け付けた場合に、ＲＯＭ１２２に記憶された第１調整画像を投影するか、外部から入力された画像を投影するかを選択する操作を受け付ける。さらに、操作受付部１０２は、パネル１０９が第１調整画像を投影している間に、調整対象位置を決定するための決定操作を受け付ける。
【００２１】
画像入力部１０３は、外部の装置から画像信号の入力を受けるためのインターフェースを有する。画像入力部１０３は、例えばＨＤＭＩ（登録商標）インターフェースを有する。
画像処理部１０４は、制御部１０１の指示に基づいて、画像入力部１０３に入力された画像信号に所定の画像処理を施す。画像処理部１０４は、例えば、画像の明るさ及びコントラストを変更するための画像処理を施す。
【００２２】
ＯＳＤ（On Screen Display）合成部１０５は、制御部１０１の指示に基づいて、画像処理部１０４が画像処理を施した後の画像にメニュー画面等の画像を重ね合わせる合成処理を実行する。ＯＳＤ合成部１０５は、合成処理を実行した後の画像を画像成分分解部１０６に入力する。
【００２３】
画像成分分解部１０６は、ＯＳＤ合成部１０５から入力された画像を、複数のパネル１０９に対応する複数の色（例えば赤、緑、青）の画像成分に分解する。投影装置１００が、パネル１０９の一つとして輝度変調パネルを備える場合、画像成分分解部１０６は、ＯＳＤ合成部１０５から入力された画像に含まれる輝度成分を抽出してもよい。
【００２４】
幾何学補正部１０７は、制御部１０１から指示された補正パラメータに基づいて、画像成分毎に幾何学補正を実行する。具体的には、幾何学補正部１０７は、操作受付部１０２が受け付けたユーザの操作に応じて、パネル１０９の物理的な取り付け位置のずれによって生ずる画素ずれ、及び光学系の色収差に起因する各色成分の投影位置のずれを抑制するように、調整対象位置に決定された画素の投影位置を補正する。幾何学補正部１０７は、補正後の画像をパネル駆動部１０８に入力する。
【００２５】
パネル駆動部１０８は、幾何学補正部１０７から入力された画像に基づいてパネル１０９を駆動することにより、パネル１０９上に光変調用画像を形成する。
パネル１０９は、例えば液晶パネルであり、パネル駆動部１０８の制御に基づいて、光源１１１から出射された光を変調する。
【００２６】
光源制御部１１０は、制御部１０１の指示に基づいて光源１１１を制御する。光源１１１は、光を発するランプである。光源１１１が発した光はパネル１０９において変調され、投射レンズ１１２を通過して投影装置１００の外部で結像することにより、投影画像が形成される。なお、投影装置１００は、光源１１１とパネル１０９との間に不図示の色分離光学系を有し、パネル１０９と投射レンズ１１２との間に不図示の色合成光学系を有する。
【００２７】
［調整用画像の例］
図３は、調整用画像の一例を示す図である。まず、パネル１０９は、図３（ａ）に示すように、投影領域の全体に、複数の調整対象位置の候補を示す格子パターン画像２０１を含む第１調整用画像２００を投影する。制御部１０１は、例えば、ＲＯＭに記憶された第１調整用画像２００を画像処理部１０４に入力することにより、第１調整用画像２００をパネル１０９に投影させる。続いて、パネル１０９は、図３（ｂ）に示すように、操作受付部１０２が受け付けた調整対象位置を決定する決定操作に対応する調整対象位置の画像を投影する位置を調整するための第２調整用画像２０３を投影する。
【００２８】
図３（ａ）に示す第１調整用画像２００は、所定の間隔で配置された縦方向及び横方向の線分から構成される格子パターン画像２０１、及びマーカー画像２０２を含んでいる。第１調整用画像２００は、例えば黒色の背景画像に、白色の格子パターン画像２０１及び白色のマーカー画像２０２が重畳された画像である。格子パターン画像２０１は、複数の四辺形領域により構成されている。
【００２９】
格子パターン画像２０１における線分の交点は、画像の投影位置の調整に用いられる点であり、以下の説明においては調整制御点Ｃという。図３においては、調整制御点Ｃの一例として、最も左上の調整制御点Ｃに符号Ｃを付している。制御部１０１は、格子パターン画像２０１における複数の調整制御点Ｃのうち、いずれかの調整制御点Ｃの位置にマーカー画像２０２を配置する。制御部１０１は、初期状態において、例えば格子パターン画像２０１における中心付近の調整制御点Ｃの位置にマーカー画像２０２を配置した状態の第１調整用画像をパネル１０９に投影させる。
【００３０】
第１調整用画像２００が投影された状態で、操作受付部１０２が、格子パターン画像２０１を移動させる操作を受け付けると、制御部１０１は、マーカー画像２０２の位置を、操作が示す向きにおける隣の調整制御点Ｃに移動させる。ユーザは、格子パターン画像２０１を移動させる操作を繰り返すことにより、画像の投影位置を調整する位置を選択することができる。
【００３１】
操作受付部１０２が、画像の投影位置を調整する位置に対応する調整制御点Ｃを決定するための決定操作を受け付けると、制御部１０１は、パネル１０９に投影させる調整用画像を、図３（ａ）に示す第１調整用画像２００から図３（ｂ）に示す第２調整用画像２０３に切り替える。パネル１０９は、制御部１０１の指示に基づいて、操作受付部１０２が受け付けた決定操作により決定された調整制御点Ｃに対応する領域に第２調整用画像２０３を投影する。
【００３２】
図３（ｂ）に示すように、第２調整用画像２０３は、第１調整用画像２００よりも狭い範囲に投影される。例えば、パネル１０９は、操作受付部１０２が受け付けた決定操作に対応する調整対象位置の画素の投影位置を移動できる範囲に第２調整用画像２０３を投影する。調整対象位置の画素を移動できる範囲は、決定操作により決定された調整制御点Ｃに接する複数の四辺形領域の範囲である。換言すると、調整対象位置の画素を移動できる範囲は、決定操作により決定された調整制御点Ｃを中心として、上下、左右、及び斜め方向において最も近い複数の調整制御点Ｃを結ぶ線に囲まれた範囲である。
【００３３】
図３（ｃ）は、ユーザが、図３（ｂ）に示す第２調整用画像２０３を用いて調整対象位置の画素を移動することができる範囲を示す図である。ユーザは、図３（ｃ）における斜線で示す領域のいずれかの位置に調整制御点Ｃを移動させることができる。
【００３４】
図４は、ユーザが調整制御点Ｃを移動する操作をしたことにより第２調整用画像２０３が変化する様子を示す図である。図４における破線は、調整制御点Ｃを移動できる範囲を示している。図４（ａ）は、ユーザが調整制御点Ｃを移動する前の状態を示している。図４（ｂ）は、ユーザが調整制御点Ｃを上向きに移動した状態を示している。
【００３５】
制御部１０１は、第２調整用画像２０３における調整制御点Ｃの位置が、図４（ａ）に示す位置よりも上の位置になるように第２調整用画像２０３を変形させることにより、調整制御点Ｃに接する４つの四辺形領域内の画素の投影位置を幾何学的に補正する。パネル１０９は、制御部１０１の指示に基づいて、ユーザによる移動操作に応じて変形後の第２調整用画像２０３を、図４（ａ）における位置よりも上の位置に投影する。
【００３６】
図４（ｂ）のように調整制御点Ｃが移動した状態において、制御部１０１は、破線で囲まれた補正対象範囲内の各画素の投影位置を、調整制御点Ｃの移動量に対応する量だけ移動させる。具体的には、制御部１０１は、調整制御点Ｃの画素と破線上の画素との間の複数の画素が、移動後の調整制御点Ｃと破線との間で均等に配置されるように、複数の画素の位置を移動させる。より具体的には、制御部１０１は、調整制御点Ｃに近い画素ほど大きな距離を移動させ、破線に近い画素ほど小さな距離を移動させる。
【００３７】
第２調整用画像２０３においては、縦方向の線分と横方向の線分との交点が調整制御点Ｃとなっている。また、第２調整用画像２０３は、調整制御点Ｃの周囲において調整制御点Ｃに重ならない位置に４つのＬ字状の図形を有している。このように、第２調整用画像２０３が、調整制御点Ｃに重ならない位置に４つのＬ字状の図形を有することで、ユーザが調整制御点Ｃの位置を認識しやすくなるとともに、調整制御点Ｃの付近の画像を視認しにくくなることを防止できる。
【００３８】
パネル１０９は、色ずれを補正することができるように、複数の色成分に対応する複数の第２調整用画像２０３を投影する。ユーザは、色ずれが生じている位置の画素の投影位置を移動させるために、投影位置を変更したい色成分を選択し、選択した色成分に対応する第２調整用画像２０３を用いて、選択した色成分における決定した位置の画素の投影位置を調整することができる。
【００３９】
図５及び図６は、色成分ごとに画素の投影位置を調整する設定をするための画面の一例を示す図である。図５に示すように、パネル１０９は、制御部１０１の指示に基づいて、第２調整用画像２０３と重ならない位置に、複数の色成分から１つの色成分を選択するための選択用画像２０４を投影する。図５（ａ）及び図５（ｂ）からわかるように、パネル１０９は、ユーザが決定した調整対象位置が異なる場合に、異なる位置に選択用画像２０４を投影する。
【００４０】
選択用画像２０４には、調整する対象となる色成分（赤、緑、青）を選択するための領域、背景画像として用いるチャートを選択するための領域、第１調整用画像２００を表示した画面に戻る操作をするための領域、及び調整制御点の調整量を設定するための領域が含まれている。パネル１０９が選択用画像２０４を投影している状態で、操作受付部１０２は、１つの色成分を選択するための操作を受け付ける。色成分を選択するための操作を受け付ける状態においては、ユーザが調整制御点の調整量を設定するための領域を用いることができない。この状態において、パネル１０９は、例えば図５に示すように、調整量を設定するための領域内の文字が、調整量を設定できない状態であることを示す色（例えば灰色）になった選択用画像２０４を投影する。
【００４１】
操作受付部１０２は、１つの色成分を選択するための操作を受け付けた場合、選択された色成分の位置の調整量を入力する操作を受け付ける。パネル１０９は、操作受付部１０２が受け付けた１つの色成分に対応する第２調整用画像２０３を投影する。
【００４２】
パネル１０９は、図６（ｂ）に示すように、調整量を入力する操作を操作受付部１０２が受け付けることができる間、選択されなかった色成分の位置の調整量を入力できないことを示す選択用画像２０４を投影してもよい。例えば、制御部１０１は、操作受付部１０２が１つの色成分を選択するための操作を受け付けると、選択された色成分以外の色成分に対応するテキスト又は領域の色や態様を変化させ、色や態様を変化させた色成分の画素の投影位置を調整できないことをユーザに明示する。
【００４３】
なお、パネル１０９は、第２調整用画像を投影している間、図６（ａ）における「Ｒ」という文字のように、投影位置を調整する対象として選択用画像２０４において選択された色成分を示す情報を投影してもよい。このように、パネル１０９が第２調整用画像２０３に対応する色成分を示す情報を投影することで、ユーザは、どの色成分を調整中であるかを容易に把握することができる。
【００４４】
［ＣＰＵ１２１の動作フローチャート］
図７は、ＣＰＵ１２１の動作フローチャートを示す図である。ステップＳ１１において、ＣＰＵ１２１は、操作受付部１０２が、画素の投影位置を調整する位置調整モードを起動する操作を受け付けたかどうかを監視する。ＣＰＵ１２１は、位置調整モードを起動する操作を操作受付部１０２が受け付けていない場合（Ｓ１１においてＮＯ）、監視を継続する。
【００４５】
ＣＰＵ１２１は、位置調整モードを起動する操作を操作受付部１０２が受け付けたことを検出した場合（Ｓ１１においてＹＥＳ）、ステップＳ１２の処理に進み、ＲＯＭ１２２に記憶された第１調整用画像を読み出す。ステップＳ１２において、ＣＰＵ１２１は、読み出した第１調整用画像を画像処理部１０４に入力することにより、パネル１０９に第１調整用画像を投影させる。
【００４６】
続いて、ステップＳ１３において、ＣＰＵ１２１は、パネル１０９が第１調整用画像を投影している間に、操作受付部１０２が、調整対象位置を決定する操作を受け付けたかどうかを監視する。ＣＰＵ１２１は、操作受付部１０２が、調整対象位置を決定する操作を受け付けていない場合（Ｓ１３においてＮＯ）、ステップＳ１４の処理に進み、ユーザの操作に応じてマーカー画像を移動させる。ＣＰＵ１２１は、マーカー画像を移動させた後に、ステップＳ１３に戻って、調整対象位置を決定する操作を受け付けたかどうかの監視を継続する。
【００４７】
ＣＰＵ１２１は、操作受付部１０２が、調整対象位置を決定する操作を受け付けた場合（Ｓ１３においてＹＥＳ）、ステップＳ１５の処理に進み、ＲＯＭ１２２に記憶された第２調整用画像を読み出す。ステップＳ１５において、ＣＰＵ１２１は、読み出した第２調整用画像を画像処理部１０４に入力することにより、パネル１０９に第２調整用画像を投影させる。その後、ＣＰＵ１２１は、ステップＳ１６の処理に進み、パネル１０９が第２調整用画像を投影している間に、操作受付部１０２が、第２調整用画像の調整制御点を移動する操作を受け付けたかどうかを監視する。
【００４８】
ＣＰＵ１２１は、操作受付部１０２が、第２調整用画像の調整制御点を移動する操作を受け付けていない場合（Ｓ１６においてＮＯ）、監視を継続する。ＣＰＵ１２１は、操作受付部１０２が、第２調整用画像の調整制御点を移動する操作を受け付けた場合（Ｓ１６においてＹＥＳ）、ステップＳ１７の処理に進み、第２調整用画像により調整可能な領域の画素の投影位置を調整する。続いて、ステップＳ１８において、ＣＰＵ１２１は、操作受付部１０２が、調整を終了する操作を受け付けたかどうかを監視し、操作受付部１０２が調整終了する操作を受け付けた場合（Ｓ１８においてＹＥＳ）、調整の処理を終了する。
【００４９】
［変形例］
第１調整用画像及び第２調整用画像の態様は、第１調整用画像と第２調整用画像とが異なる画像である限りにおいて任意である。
図８は、第１調整用画像及び第２調整用画像の第１変形例を示す図である。図８（ａ）に示す第１調整用画像２００Ａにおいては、マーカー画像２０５の形状が、図３（ａ）に示したマーカー画像２０２の形状と異なっている。図８（ａ）に示すように、マーカー画像２０５は、調整制御点Ｃを覆う形状の図形であってもよい。この場合においても、制御部１０１は、操作受付部１０２が調整対象位置の決定操作を受け付けると、調整制御点Ｃを覆わない図形により構成される図８（ｂ）に示すような第２調整用画像２０３をパネル１０９に投影させる。
【００５０】
図９は、第１調整用画像及び第２調整用画像の第２変形例を示す図である。図９（ａ）に示す第１調整用画像２０６は、格子パターン画像２０１を含まない点で、図３（ａ）に示した第１調整用画像と異なる。このように、第１調整用画像が格子パターン画像２０１を含まない場合であっても、調整制御点Ｃは所定の間隔で配置されており、制御部１０１は、ユーザが第１調整用画像２０６を移動させる操作に応じて、第１調整用画像２０６の位置を移動させる。
【００５１】
図９（ｂ）に示す第２調整用画像２０７は、図３（ｂ）に示した第２調整用画像２０３と異なり、調整制御点Ｃの周辺にＬ字状の図形を含まない。代わりに、図９（ｂ）に示す第２調整用画像２０７は、調整制御点Ｃを通る十文字状の線分を囲む四辺形を含んでいる。第２調整用画像２０７がこのような四辺形を有することで、ユーザは、調整制御点Ｃを移動可能な領域を容易に把握することができる。
【００５２】
図１０は、第１調整用画像及び第２調整用画像の第３変形例を示す図である。図１０（ａ）に示す第１調整用画像２０６は、図９（ａ）に示した第１調整用画像２０６と同一である。図１０（ｂ）に示す第２調整用画像２０８は、図１０（ａ）に示した第１調整用画像２０６から、調整制御点Ｃを覆うように設けられていた四角形の画像が削除された画像である。このように、制御部１０１は、第１調整用画像に含まれていた画像の一部を削除することにより作成した第２調整用画像をパネル１０９に投影させてもよい。
【００５３】
［投影装置１００による効果］
以上説明したように、制御部１０１は、パネル１０９が投影する画像を調整するモードにおいて、まず、画像の調整対象位置を選択するための第１調整用画像をパネル１０９に投影させる。続いて、パネル１０９が第１調整用画像を投影している間に操作受付部１０２が調整対象位置を決定するための決定操作を受け付けると、第１調整用画像と異なる第２調整用画像をパネル１０９に投影させる。
【００５４】
このように、投影装置１００は、ユーザが調整対象位置を選択する操作を行う際には、選択操作に適した第１調整用画像を投影する。そして、ユーザが調整対象に決定した調整対象位置の画素の投影位置を微調整する操作を行う際には、調整制御点付近を視認しやすく、微調整の操作に適した第２調整用画像を投影するので、ユーザの操作性が向上する。また、第１調整用画像と第２調整用とが異なるので、ユーザは、調整対象位置を選択する操作を行える状態であるか、調整対象位置の画素の投影位置を微調整する操作を行える状態であるかを容易に把握することができる。
【００５５】
以上、本発明の実施の形態、及びいくつかの実施の形態をもとに説明した。これらの任意の組み合わせによって生じる新たな実施の形態も、本発明の実施の形態に含まれる。組み合わせによって生じる新たな実施の形態の効果は、もとの実施の形態の効果を合わせ持つ。また本発明の技術的範囲は上記実施の形態に記載の範囲には限定されず、その要旨の範囲内で種々の変形及び変更が可能である。
【００５６】
例えば、上記の説明においては、投影装置１００が、画像の投影位置を調整するために用いられる第２調整用画像を投影する例を示したが、第２調整用画像の用途は画像の投影位置の調整に限らない。第２調整用画像は、画像の色度又は輝度の調整等の他の用途に用いられる画像であってもよい。
【符号の説明】
【００５７】
１００  投影装置
１０１  制御部
１０２  操作受付部
１０９  パネル
【図１】
2018113519.tif 000003
【図２】
2018113519.tif 000004
【図３】
2018113519.tif 000005
【図４】
2018113519.tif 000006
【図５】
2018113519.tif 000007
【図６】
2018113519.tif 000008
【図７】
2018113519.tif 000009
【図８】
2018113519.tif 000010
【図９】
2018113519.tif 000011
【図１０】
2018113519.tif 000012